(57)【要約】      （修正有）【課題】既設のドアにも容易且つ安価に後付けで適用できる簡易な構成のドア開錠装置の提供。【解決手段】ドア開錠装置１は、室内の開口部２に開閉自在に設置されたドア３に設けられ、ドア３の閉状態を維持する錠本体のラッチボルト４を操作者の手動操作によって、開口部２のドア対向面３ａに設けられたラッチボルト進入穴５からドア３の内方に退入させ、ラッチボルト４によるドア３の閉状態を解除するものである。ドア開錠装置１は、ドア３とドア対向面３ａとの間に形成された隙間７に沿って進退自在に設けられ、且つ、ドア３からラッチボルト進入穴５の側に突出したラッチボルト４の傾斜面４ａと当接することによりラッチボルト４をドア３の内方に退入させるプッシュプレート８と、開口部２のドア対向面３ａに設けられ、プッシュプレート８をドア対向面３ａに沿って進退自在に案内保持する保持カバー１０と、を備える。【選択図】図１
2017106262.tif 000002
【特許請求の範囲】
【請求項１】
室内の開口部に開閉自在に設置されたドアに設けられ、当該ドアの閉状態を維持する錠本体のラッチボルトを操作者の手動操作によって、当該開口部のドア対向面に設けられたラッチボルト進入穴から当該ドアの内方に退入させ、当該ラッチボルトによる当該ドアの閉状態を解除するドア開錠装置であって、
前記ドアと前記開口部のドア対向面との間に形成された隙間に沿って進退自在に設けられ、且つ、前記ドアから前記ラッチボルト進入穴の側に突出した前記ラッチボルトの傾斜面と当接することにより当該ラッチボルトを当該ドアの内方に退入させ、当該ラッチボルトによる当該ドアの閉状態を解除する操作プレートと、
前記開口部の前記ドア対向面に設けられ、前記操作プレートを当該ドア対向面に沿って進退自在に案内保持する操作プレート保持カバーと、
を備えることを特徴とするドア開錠装置。
【請求項２】
前記操作プレートは、前記ラッチボルトの前記傾斜面と当接する箇所に傾斜面を備えることを特徴とする請求項１に記載のドア開錠装置。
【請求項３】
前記操作プレート保持カバーは、前記操作プレートの進退方向における位置を規制するストッパー部を備えることを特徴とする請求項１又は２に記載のドア開錠装置。
【請求項４】
前記操作プレートは、前記操作者が室外側に押すことにより前記ラッチボルトによる当該ドアの閉状態を解除するプッシュプレートとして構成され、且つ、前記操作者が指で押す押圧部と、前記操作プレート保持カバーの前記ストッパー部と係合する係合部とを備え、
前記操作プレート保持カバーは、前記操作プレートを案内する案内溝を備えることを特徴とする請求項３に記載のドア開錠装置。
【請求項５】
前記操作プレートは、前記操作者が室内側に引くことにより前記ラッチボルトによる当該ドアの閉状態を解除するプルプレートとして構成され、且つ、前記操作者が指で引っ掛ける引っ掛け部と、前記操作プレート保持カバーの前記ストッパー部と係合する係合長穴部と、前記ラッチボルト進入穴と対向可能な箇所に設けられた長穴部と、前記開口部の室内側の開口周縁部に設けられたガイド部材を挿通する挿通穴と、を備え、
前記操作プレート保持カバーは、前記操作プレートを案内する案内溝を備え、
前記ガイド部材は、前記開口周縁部から室内側に突出して設けられ、ストッパープレート及びネジによって当該開口周縁部に固定されることを特徴とする請求項３に記載のドア開錠装置。
【発明の詳細な説明】
【技術分野】
【０００１】
本発明は、トイレや浴室のドア（開き戸）に設けられたラッチ錠が破損し、ドアが開けられなくなって室内に閉じ込められた際に、室内側から容易に手動で開錠できるようにしたドア解錠装置に関するものである。
【背景技術】
【０００２】
従来より、トイレや浴室のドア（開き戸）に設けられたラッチ錠が金属疲労等により破損し、ドアが開けられなくなって室内に閉じ込められる事故が発生している。このような閉じ込め事故を予防するための従来のドア開錠装置として、例えば、引き針金を付けた金属板の引き板を、常時は関わりを持たないように専用作動域を確保してケース内に組み込み、閉じ込み事故の際に閉室側に出ている引き針金を引くことにより、引き板を作動させ、制御不能にしている押しバネに抗してほぞを後方へ引き込むことによりドアを開放するようにした技術が提案されている（例えば、特許文献１参照）。
【先行技術文献】
【特許文献】
【０００３】
【特許文献１】特開２００１−１０７６１６号公報
【発明の概要】
【発明が解決しようとする課題】
【０００４】
しかし、上記特許文献１に係る従来のドア開錠装置は、錠の製造時に上記引き針金等をケース内部に組み込んで構成されている。そのため、上記閉じ込め事故を回避（予防）するために、この従来のドア開錠装置を既設のドアに適用する場合には、錠自体を交換しなければならず、不具合のない既設の錠が無駄になっていた。
また、この従来のドア開錠装置は、ラッチ錠が破損した非常時にのみ使用されるものであり、使用後には破損したラッチ錠を含む錠全体を交換しなければ、次なる閉じ込め事故を回避できない。そのため、非常時に対応できるとはいえ、コストがかかり、一般家庭などに広く普及することの阻害要因となっていた。
したがって、既設のドアにも容易且つ安価に後付けで適用できる簡易な構成のドア開錠装置の提供が望まれていた。
【０００５】
本発明は、上記課題に鑑みてなされたものであり、既設のドアにも容易且つ安価に後付けで適用できる簡易な構成のドア開錠装置を提供することを目的とする。
【課題を解決するための手段】
【０００６】
本発明のドア開錠装置は、室内の開口部に開閉自在に設置されたドアに設けられ、当該ドアの閉状態を維持する錠本体のラッチボルトを操作者の手動操作によって、当該開口部のドア対向面に設けられたラッチボルト進入穴から当該ドアの内方に退入させ、当該ラッチボルトによる当該ドアの閉状態を解除するドア開錠装置であって、前記ドアと前記開口部のドア対向面との間に形成された隙間に沿って進退自在に設けられ、且つ、前記ドアから前記ラッチボルト進入穴の側に突出した前記ラッチボルトの傾斜面と当接することにより当該ラッチボルトを当該ドアの内方に退入させ、当該ラッチボルトによる当該ドアの閉状態を解除する操作プレートと、前記開口部の前記ドア対向面に設けられ、前記操作プレートを当該ドア対向面に沿って進退自在に案内保持する操作プレート保持カバーと、を備えることを特徴とする。
【０００７】
また、本発明のドア開錠装置は、前記発明において、前記操作プレートは、前記ラッチボルトの前記傾斜面と当接する箇所に傾斜面を備えることを特徴とする。
【０００８】
また、本発明のドア開錠装置は、前記発明において、前記操作プレート保持カバーは、前記操作プレートの進退方向における位置を規制するストッパー部を備えることを特徴とする。
【０００９】
また、本発明のドア開錠装置は、前記発明において、前記操作プレートは、前記操作者が室外側に押すことにより前記ラッチボルトによる当該ドアの閉状態を解除するプッシュプレートとして構成され、且つ、前記操作者が指で押す押圧部と、前記操作プレート保持カバーの前記ストッパー部と係合する係合部とを備え、前記操作プレート保持カバーは、前記操作プレートを案内する案内溝を備えることを特徴とする。
【００１０】
また、本発明のドア開錠装置は、前記発明において、前記操作プレートは、前記操作者が室内側に引くことにより前記ラッチボルトによる当該ドアの閉状態を解除するプルプレートとして構成され、且つ、前記操作者が指で引っ掛ける引っ掛け部と、前記操作プレート保持カバーの前記ストッパー部と係合する係合長穴部と、前記ラッチボルト進入穴と対向可能な箇所に設けられた長穴部と、前記開口部の室内側の開口周縁部に設けられたガイド部材を挿通する挿通穴と、を備え、前記操作プレート保持カバーは、前記操作プレートを案内する案内溝を備え、前記ガイド部材は、前記開口周縁部から室内側に突出して設けられ、ストッパープレート及びネジによって当該開口周縁部に固定されることを特徴とする。
【発明の効果】
【００１１】
本発明によれば、既設のドアにも容易且つ安価に後付けで適用できる簡易な構成のドア開錠装置を提供することができる。
【図面の簡単な説明】
【００１２】
【図１】本発明の実施の形態１に係るドア開錠装置１の開錠過程を示す断面図である。
【図２】ドア開錠装置１を取り付ける様子を示す分解斜視図である。
【図３】プッシュプレート８を示す斜視図である。
【図４】保持カバー１０を示す斜視図である。
【図５】ドア開錠装置１を示す組立斜視図である。
【図６】ドア開錠装置１を示す説明図である。
【図７】ドア開錠装置１を示す説明図である。
【図８】本発明の実施の形態２に係るドア開錠装置１Ａの開錠過程を示す断面図である。
【図９】ドア開錠装置１Ａの開錠過程を示す断面図である。
【図１０】ドア開錠装置１Ａを取り付ける様子を示す分解斜視図である。
【図１１】ドア開錠装置１Ａを示す組立斜視図である。
【図１２】ドア開錠装置１Ａを示す組立斜視図である。
【図１３】保持カバー３０を示す斜視図である。
【図１４】ストッパープレート３１を示す斜視図である。
【図１５】ガイドスペーサ３０を示す斜視図である。
【図１６】ドア開錠装置１Ａを示す説明図である。
【図１７】ドア開錠装置１Ａを示す説明図である。
【図１８】ドア開錠装置１Ａを示す説明図である。
【発明を実施するための形態】
【００１３】
（実施の形態１）
以下、本発明の実施の形態１に係るドア開錠装置１について図１〜図７を参照しながら詳細に説明する。実施の形態１に係るドア開錠装置１は、トイレなどに設置される外開きのドア３に適用するものである。ここで、図１は、本発明の実施の形態１に係るドア開錠装置１の開錠過程を示す断面図であり、（ａ）は開錠前の状態を示し、（ｂ）は開錠後の状態を示す。図２は、ドア開錠装置１を取り付ける様子を示す分解斜視図である。図３は、プッシュプレート８を示す斜視図である。図４は、保持カバー１０を示す斜視図であり、（ａ）は保持カバー１０の正面を示し、（ｂ）は保持カバー１０の背面を示す。図５は、ドア開錠装置１を示す組立斜視図である。図６は、ドア開錠装置１を示す説明図であり、（ａ）は中央水平断面を示し、（ｂ）は平面を示す。図７は、ドア開錠装置１を示す説明図であり、（ａ）は左側面を示し、（ｂ）は正面を示し、（ｃ）は右側面を示す。
【００１４】
図１〜図７に示すように、ドア開錠装置１は、室内の開口部２に開閉自在に設置されたドア３に設けられ、ドア３の閉状態を維持する錠本体（図示せず）のラッチボルト４を操作者の手動操作によって、開口部３を構成する柱６のドア対向面３ａに設けられたラッチボルト進入穴５からドア３の内方に退入させ、ラッチボルト４によるドア３の閉状態を解除するものである。
なお、錠本体（図示せず）は、周知・慣用技術によって構成されているので、詳細な説明を省略する。柱６のドア対向面３ａにネジ止めされたストライク６ａは、ラッチボルト４を受けるプレート金具である。また、戸当たり６ｂは、ドア３の回動位置を規制する部材である。
【００１５】
図１に示すように、ドア開錠装置１は、ドア３と開口部２のドア対向面３ａとの間に形成された隙間７に沿って進退自在に設けられ、且つ、ドア３からラッチボルト進入穴５の側に突出したラッチボルト４の傾斜面４ａと当接することによりラッチボルト４をドア３の内方に退入させ、ラッチボルト４によるドア３の閉状態を解除する操作プレートとしてのプッシュプレート８と、開口部２のドア対向面３ａに設けられ、プッシュプレート８をドア対向面３ａに沿って進退自在に案内保持する操作プレート保持カバーとしての保持カバー１０とを備える。
【００１６】
図１〜図７に示すように、プッシュプレート８は、ラッチボルト４の傾斜面４ａと当接する箇所に傾斜面８ａと、操作者が指で押す押圧部８ｂと、保持カバー１０のストッパー部１１（図４参照）と係合する係合部８ｃとを備える。プッシュプレート８は、例えば、薄い金属プレートにて構成される。
【００１７】
また、図１及び図２、図４〜図７に示すように、保持カバー１０は、プッシュプレート８の進退方向における位置を規制するストッパー部１１と、プッシュプレート８を案内する案内溝１２と、ネジ１３（図２参照）によって柱６のドア対向面３ａに固定するための取付穴１４とを備える。保持カバー１０は、例えば、合成樹脂にて構成される。
【００１８】
次に、ドア開錠装置１の使用方法を図１を参照しながら説明する。ドア開錠装置１は、図１及び図２に示すように、既設のドア３に後付けで適用することができる。
図１（ａ）に示すように、ドア３の錠本体（図示せず）が故障し、ラッチボルト４がラッチボルト進入穴５に進入したままの状態となると、ドア３を室外側に開けようとしても、ラッチボルト４が障害となって開けることができなくなる。すなわち、閉じ込め事故状態となる。
【００１９】
このような場合に、図１（ｂ）に示すように、室内に閉じ込められた人（操作者）は、プッシュプレート８の押圧部８ｂを室外側に押圧操作することにより、プッシュプレート８を保持カバー１０の案内溝１２内で室外側にスライドさせる。すると、プッシュプレート８の傾斜面８ａがラッチボルト４の傾斜面４ａと当接し、その作用によってラッチボルト４がドア３の内方に退入する。これによって、ラッチボルト４がラッチボルト進入穴５から脱出し、ラッチボルト４によるドア３の閉状態を解除することができ、ドアを開放することができる。
なお、ドア開錠装置１は、故障した錠本体（図示せず）を除去し、同タイプの錠本体（図示せず）に交換したドア３に対してもそのまま使用することができる。
【００２０】
以上に説明した実施の形態１に係るドア開錠装置１によれば、以下に示す各効果が奏される。実施の形態１に係るドア開錠装置１は、ラッチボルト進入穴５の側に突出したラッチボルト４の傾斜面４ａと当接することによりラッチボルト４をドア３の内方に退入させ、ラッチボルト４によるドア３の閉状態を解除するプッシュプレート８と、このプッシュプレート８をドア対向面３ａに沿って進退自在に案内保持する保持カバー１０とを備える。また、ドア開錠装置１は、ネジ１３によって開口部２のドア対向面３ａに容易に後付けすることができる。更に、ドア開錠装置１は、故障した錠本体（図示せず）を除去し、同タイプの錠本体（図示せず）に交換したドア３に対してもそのまま使用することができ、非常に経済的である。
そのため、本発明によれば、既設のドア３にも容易且つ安価に後付けで適用できる簡易な構成のドア開錠装置１を提供することができる。
【００２１】
また、プッシュプレート８は、ラッチボルト４の傾斜面４ａと当接する箇所に傾斜面８ａを備える。そのため、操作者の上記押圧操作によって、この傾斜面８ａがラッチボルト４の傾斜面４ａと当接することにより、ラッチボルト４をドア３の内方に円滑に退入させることができ、ラッチボルト４によるドア３の閉状態を容易且つ迅速に解除することができる。
【００２２】
また、保持カバー１０は、プッシュプレート８の進退方向における位置を規制するストッパー部１１を備える。そのため、プッシュプレート８の保持カバー１０からの脱落を容易に防止することができる。
【００２３】
また、プッシュプレート８は、操作者が指で押す押圧部８ｂと、保持カバー１０のストッパー部１１と係合する係合部８ｃとを備え、保持カバー１０は、プッシュプレート８を案内する案内溝１２を備える。そのため、きわめて簡易な構成にて良好な操作性を確保することができると共に、プッシュプレート８をドア対向面３ａに沿って進退自在に案内保持することができる。
【００２４】
次に、本発明の他の実施形態について説明する。他の実施形態については、主として、実施の形態１とは異なる点を中心に説明し、実施の形態１と同様の構成については、同じ符号を付し、詳細な説明を省略する。他の実施の形態において特に説明しない点は、実施の形態１についての説明が適宜適用又は援用される。
【００２５】
（実施の形態２）
次に、本発明の実施の形態２に係るドア開錠装置１Ａについて図８〜図１８を参照しながら説明する。実施の形態２に係るドア開錠装置１Ａは、浴室などに設置される内開きのドア３に適用するものである。ここで、図８は、本発明の実施の形態２に係るドア開錠装置１Ａの開錠過程を示す断面図であり、プルプレート２８の中央水平断面を示したものである。（ａ）は開錠前の状態を示し、（ｂ）は開錠後の状態を示す。図９は、ドア開錠装置１Ａの開錠過程を示す断面図であり、保持カバー３０の中央における水平断面を示したものである。（ａ）は開錠前の状態を示し、（ｂ）は開錠後の状態を示す。すなわち、図９は、図８に対応している。
【００２６】
また、図１０は、ドア開錠装置１Ａを取り付ける様子を示す分解斜視図である。図１１は、ドア開錠装置１Ａを示す組立斜視図である。図１２は、プルレート２８を示す斜視図である。図１３は、保持カバー３０を示す斜視図であり、（ａ）は保持カバー３０の正面を示し、（ｂ）は保持カバー３０の背面を示す。図１４は、ストッパープレート３１を示す斜視図である。図１５は、ガイドスペーサ３０を示す斜視図である。図１６は、ドア開錠装置１Ａを示す説明図であり、（ａ）は左側面を示し、（ｂ）は正面を示し、（ｃ）は右側面を示す。
【００２７】
また、図１７は、ドア開錠装置１Ａを示す説明図であり、（ａ）は故障したラッチボルト４をドア３内に退入させる際に、プルプレート２８を室内側に引いた状態の平面図を示し、（ｂ）はドア錠が正常な場合におけるプルプレート２８の平面図を示す。図１８は、ドア開錠装置１Ａを示す説明図であり、（ａ）は故障したラッチボルト４をドア３内に退入させる際に、プルプレート２８を室内側に引いた状態の中央水平断面を示し、（ｂ）は（ａ）に対応したガイドスペーサ３０の位置での水平断面を示す。
【００２８】
図１０〜図１２、図１６〜図１８に示すように、操作プレートとしてのプルプレート２８は、操作者が室内側に引くことによりラッチボルト４によるドア３の閉状態を解除するものである。プルプレート２８は、ラッチボルト４の傾斜面４ａと当接する傾斜面２８ａと、操作者が指で引っ掛ける引っ掛け部２８ｂと、保持カバー２０のストッパー部２１と係合する係合長穴部２８ｃと、ラッチボルト進入穴５と対向可能な箇所に設けられた長穴部２８ｄと、開口部２の室内側の開口周縁部２ａに設けられたガイド部材としてのガイドスペーサ３０を挿通する挿通穴２８ｅと、保持カバー２０の係合凸部２５と係合する係合凹部２８ｆとを備える。
【００２９】
また、図１３に示すように、保持カバー２０は、プルプレート２８の係合長穴部２８ｃと係合するストッパー部２１と、プルプレート２８を案内する案内溝２２と、ネジ１３を挿通する取付穴２４と、係合凹部２８ｆと係合する係合凸部２５とを備える。保持カバー２０は、例えば、合成樹脂にて構成される。
【００３０】
また、図１５及び図１０に示すように、ガイドスペーサ３０は、例えば、金属製の円筒部材であり、ネジ３２を挿通できるように構成される。ガイドスペーサ３０は、開口周縁部２ａから室内側に突出して設けられ、ストッパープレート３１及びネジ３２によって開口周縁部２ａに固定される。ストッパープレート３１は、例えば、薄い金属プレートにて構成され、ネジ３２を挿通する一対の取付穴３１ａを有する。
【００３１】
次に、ドア開錠装置１Ａの使用方法を図８及び図９を参照しながら説明する。ドア開錠装置１Ａは、図８〜図１０に示すように、既設のドア３に後付けで適用することができる。
図８（ａ）及び図９（ａ）に示すように、ドア３の錠本体（図示せず）が故障し、ラッチボルト４がラッチボルト進入穴５に進入したままの状態となると、ドア３を室内側に開けようとしても、ラッチボルト４が障害となって開けることができなくなる。すなわち、閉じ込め事故状態となる。
【００３２】
このような場合に、図８（ｂ）及び図９（ｂ）に示すように、室内に閉じ込められた人（操作者）は、プルプレート２８の引っ掛け部２８ｂを室内側に指で引き出すことにより、プルプレート２８を保持カバー２０の案内溝２２内で室内側にスライドさせる。すると、プルプレート２８の傾斜面２８ａがラッチボルト４の傾斜面４ａと当接し、その作用によってラッチボルト４がドア３の内方に退入する。これによって、ラッチボルト４がラッチボルト進入穴５から脱出し、ラッチボルト４によるドア３の閉状態を解除することができ、ドアを開放することができる。
なお、ドア開錠装置１Ａは、故障した錠本体（図示せず）を除去し、同タイプの錠本体（図示せず）に交換したドア３に対してもそのまま使用することができる。
【００３３】
以上のように、実施の形態２のドア開錠装置１Ａによれば、前記実施の形態１のドア開錠装置１と同様の効果が奏されると共に、以下に示す効果が奏される。
すなわち、実施の形態２のドア開錠装置１Ａに係るプルプレート２８は、ラッチボルト４の傾斜面４ａと当接する傾斜面２８ａと、操作者が指で引っ掛ける引っ掛け部２８ｂと、保持カバー２０のストッパー部２１と係合する係合長穴部２８ｃと、ラッチボルト進入穴５と対向可能な箇所に設けられた長穴部２８ｄと、開口部２の室内側の開口周縁部２ａに設けられたガイドスペーサ３０を挿通する挿通穴２８ｅと、保持カバー２０の係合凸部２５と係合する係合凹部２８ｆとを備える。また、保持カバー２０は、プルプレート２８の係合長穴部２８ｃと係合するストッパー部２１と、プルプレート２８を案内する案内溝２２と、ネジ１３を挿通する取付穴２４と、係合凹部２８ｆと係合する係合凸部２５とを備える。そのため、ドア開錠装置１Ａを簡易に構成できると共に、操作者がプルプレート２８を室内側に引くことによりラッチボルト４によるドア３の閉状態を容易且つ迅速に解除することができる。
【００３４】
以上、本発明の一実施形態について説明したが、本発明は、前述した実施の形態に制限されるものではなく、適宜変更が可能である。例えば、前記実施の形態１及び２に係るドア開錠装置１，１Ａにおいては、図１〜図１８においてその形状の一例を図示したが、これに制限されず、上述した機能を有するものであれば、適宜形状変更が可能である。
【符号の説明】
【００３５】
１，１Ａ  ドア開錠装置
２  開口部
２ａ  開口周縁部
３  ドア
３ａ  ドア対向面
４  ラッチボルト
４ａ  傾斜面
５  ラッチボルト進入穴
６  柱
６ａ  ストライク
６ｂ  戸当たり
７  隙間
８  プッシュプレート
８ａ  傾斜面
１０  保持カバー
１１  ストッパー部
１２  案内溝
１３  ネジ
１４  取付穴
２０  保持カバー
２１  ストッパー部
２２  案内溝
２４  取付穴
２５  係合凸部
２８  プルプレート
２８ａ  傾斜面
２８ｂ  引っ掛け部
２８ｃ  係合長穴部
２８ｄ  長穴部
２８ｅ  挿通穴
２８ｆ  係合凹部
３０  ガイドスペーサ
３１  ストッパープレート
３１ａ  取付穴
３２  ネジ
【図１】
2017106262.tif 000003
【図２】
2017106262.tif 000004
【図３】
2017106262.tif 000005
【図４】
2017106262.tif 000006
【図５】
2017106262.tif 000007
【図６】
2017106262.tif 000008
【図７】
2017106262.tif 000009
【図８】
2017106262.tif 000010
【図９】
2017106262.tif 000011
【図１０】
2017106262.tif 000012
【図１１】
2017106262.tif 000013
【図１２】
2017106262.tif 000014
【図１３】
2017106262.tif 000015
【図１４】
2017106262.tif 000016
【図１５】
2017106262.tif 000017
【図１６】
2017106262.tif 000018
【図１７】
2017106262.tif 000019
【図１８】
2017106262.tif 000020
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
室内の開口部に開閉自在に設置されたドアに設けられ、当該ドアの閉状態を維持する錠本体のラッチボルトを操作者の手動操作によって、当該開口部のドア対向面に設けられたラッチボルト進入穴から当該ドアの内方に退入させ、当該ラッチボルトによる当該ドアの閉状態を解除するドア開錠装置であって、
前記ラッチボルトと当接する辺の長さが、前記ラッチボルト進入穴の長手辺の長さよりも長い操作プレートであって、前記ドアと前記開口部のドア対向面との間に形成された隙間に沿って進退自在に設けられ、且つ、前記ドアから前記ラッチボルト進入穴の側に突出した前記ラッチボルトの傾斜面と当接することにより当該ラッチボルトを当該ドアの内方に退入させ、当該ラッチボルトによる当該ドアの閉状態を解除する操作プレートと、
前記開口部の前記ドア対向面で、且つ、前記隙間を避けて設けられ、前記操作プレートを当該ドア対向面に沿って進退自在に案内保持する操作プレート保持カバーと、
を備えることを特徴とするドア開錠装置。
【請求項２】
前記操作プレートは、前記ラッチボルトの前記傾斜面と当接する箇所に傾斜面を備えることを特徴とする請求項１に記載のドア開錠装置。
【請求項３】
前記操作プレート保持カバーは、前記操作プレートの進退方向における位置を規制するストッパー部を備えることを特徴とする請求項１又は２に記載のドア開錠装置。
【請求項４】
前記操作プレートは、前記操作者が室外側に押すことにより前記ラッチボルトによる当該ドアの閉状態を解除するプッシュプレートとして構成され、且つ、前記操作者が指で押す押圧部と、前記操作プレート保持カバーの前記ストッパー部と係合する係合部とを備え、
前記操作プレート保持カバーは、前記操作プレートを案内する案内溝を備えることを特徴とする請求項３に記載のドア開錠装置。
【請求項５】
前記操作プレートは、前記操作者が室内側に引くことにより前記ラッチボルトによる当該ドアの閉状態を解除するプルプレートとして構成され、且つ、前記操作者が指で引っ掛ける引っ掛け部と、前記操作プレート保持カバーの前記ストッパー部と係合する係合長穴部と、前記ラッチボルト進入穴と対向可能な箇所に設けられた長穴部と、前記開口部の室内側の開口周縁部に設けられたガイド部材を挿通する挿通穴と、を備え、
前記操作プレート保持カバーは、前記操作プレートを案内する案内溝を備え、
前記ガイド部材は、前記開口周縁部から室内側に突出して設けられ、ストッパープレート及びネジによって当該開口周縁部に固定されることを特徴とする請求項３に記載のドア開錠装置。
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
室内の開口部に開閉自在に設置されたドアに設けられ、当該ドアの閉状態を維持する錠本体のラッチボルトを操作者の手動操作によって、当該開口部のドア対向面に設けられたラッチボルト進入穴から当該ドアの内方に退入させ、当該ラッチボルトによる当該ドアの閉状態を解除するドア開錠装置であって、
前記ラッチボルトと当接する辺の長さが、前記ラッチボルト進入穴の上下方向である長手辺の長さよりも長い操作プレートであって、前記ドアと前記開口部のドア対向面との間に形成された隙間に沿って進退自在に設けられ、且つ、前記ドアから前記ラッチボルト進入穴の側に突出した前記ラッチボルトの傾斜面と当接することにより当該ラッチボルトを当該ドアの内方に退入させ、当該ラッチボルトによる当該ドアの閉状態を解除する薄いプレートで構成された操作プレートと、
前記開口部の前記ドア対向面で、且つ、前記隙間を避けてネジで固定し得、前記操作プレートを当該ドア対向面に沿って進退自在に案内保持する操作プレート保持カバーと、
を備えることを特徴とするドア開錠装置。
【請求項２】
前記操作プレートは、前記ラッチボルトの前記傾斜面と当接する箇所に傾斜面を備えることを特徴とする請求項１に記載のドア開錠装置。
【請求項３】
前記操作プレート保持カバーは、前記操作プレートの進退方向における位置を規制するストッパー部を備えることを特徴とする請求項１又は２に記載のドア開錠装置。
【請求項４】
前記操作プレートは、前記操作者が室外側に押すことにより前記ラッチボルトによる当該ドアの閉状態を解除するプッシュプレートとして構成され、且つ、前記操作者が指で押す押圧部と、前記操作プレート保持カバーの前記ストッパー部と係合する係合部とを備え、
前記操作プレート保持カバーは、前記操作プレートを案内する案内溝を備えることを特徴とする請求項３に記載のドア開錠装置。
【請求項５】
前記操作プレートは、前記操作者が室内側に引くことにより前記ラッチボルトによる当該ドアの閉状態を解除するプルプレートとして構成され、且つ、前記操作者が指で引っ掛ける引っ掛け部と、前記操作プレート保持カバーの前記ストッパー部と係合する係合長穴部と、前記ラッチボルト進入穴と対向可能な箇所に設けられた長穴部と、前記開口部の室内側の開口周縁部に設けられたガイド部材を挿通する挿通穴と、を備え、
前記操作プレート保持カバーは、前記操作プレートを案内する案内溝を備え、
前記ガイド部材は、前記開口周縁部から室内側に突出して設けられ、ストッパープレート及びネジによって当該開口周縁部に固定されることを特徴とする請求項３に記載のドア開錠装置。
【手続補正書】
【提出日】平成29年5月1日(2017.5.1)
【手続補正１】
【補正対象書類名】特許請求の範囲
【補正対象項目名】全文
【補正方法】変更
【補正の内容】
【特許請求の範囲】
【請求項１】
室内の開口部に開閉自在に設置されたドアに設けられ、当該ドアの閉状態を維持する錠本体のラッチボルトを操作者の手動操作によって、当該開口部のドア対向面に設けられたラッチボルト進入穴から当該ドアの内方に退入させ、当該ラッチボルトによる当該ドアの閉状態を解除するドア開錠装置であって、
前記ラッチボルトと当接する辺の長さが、前記ラッチボルト進入穴の上下方向である長手辺の長さよりも長い操作プレートであって、前記ドアと前記開口部のドア対向面との間に形成された隙間に沿って進退自在に設けられ、且つ、前記ドアから前記ラッチボルト進入穴の側に突出した前記ラッチボルトの傾斜面と当接することにより当該ラッチボルトを当該ドアの内方に退入させ、当該ラッチボルトによる当該ドアの閉状態を解除する、前記ドアと前記開口部のドア対向面との間に形成された隙間より薄いプレートで構成された操作プレートと、
前記開口部の前記ドア対向面で、且つ、前記隙間を避けてネジで固定し得、前記操作プレートを当該ドア対向面に沿って進退自在に案内保持する操作プレート保持カバーと、
を備えることを特徴とするドア開錠装置。
【請求項２】
前記操作プレートは、前記ラッチボルトの前記傾斜面と当接する箇所に傾斜面を備えることを特徴とする請求項１に記載のドア開錠装置。
【請求項３】
前記操作プレート保持カバーは、前記操作プレートの進退方向における位置を規制するストッパー部を備えることを特徴とする請求項１又は２に記載のドア開錠装置。
【請求項４】
前記操作プレートは、前記操作者が室外側に押すことにより前記ラッチボルトによる当該ドアの閉状態を解除するプッシュプレートとして構成され、且つ、前記操作者が指で押す押圧部と、前記操作プレート保持カバーの前記ストッパー部と係合する係合部とを備え、
前記操作プレート保持カバーは、前記操作プレートを案内する案内溝を備えることを特徴とする請求項３に記載のドア開錠装置。
【請求項５】
前記操作プレートは、前記操作者が室内側に引くことにより前記ラッチボルトによる当該ドアの閉状態を解除するプルプレートとして構成され、且つ、前記操作者が指で引っ掛ける引っ掛け部と、前記操作プレート保持カバーの前記ストッパー部と係合する係合長穴部と、前記ラッチボルト進入穴と対向可能な箇所に設けられた長穴部と、前記開口部の室内側の開口周縁部に設けられたガイド部材を挿通する挿通穴と、を備え、
前記操作プレート保持カバーは、前記操作プレートを案内する案内溝を備え、
前記ガイド部材は、前記開口周縁部から室内側に突出して設けられ、ストッパープレート及びネジによって当該開口周縁部に固定されることを特徴とする請求項３に記載のドア開錠装置。